(57)【要約】【課題】  連続階調画像に偽造防止機能と機械読取機能を付与する。【解決手段】  網点を印刷するハーフトーン領域としてｍ×ｍピクセル（ｍ≧２、ｍは整数。）とｎ×ｎピクセル（１≦ｎ＜ｍ、ｎは整数。）の２種類のハーフトーン領域を設け、互いに独立した領域にある４つのｍ×ｍピクセルのハーフトーン領域が１つのｎ×ｎピクセルのハーフトーン領域の周囲を隙間なく囲繞し、互いに独立した領域にある４つのｎ×ｎピクセルのハーフトーン領域が１つのｍ×ｍピクセルのハーフトーン領域の外周に沿って等間隔に配置される構成とし、所定の入力画像を画像処理して得られた網点であって、現在の写真製版装置では複製が困難であるとともに、機械読取することができる網点を２種類のハーフトーン領域の双方の種類のハーフトーン領域を用いて印刷する。【選択図】図１６
2007001312.tif 000002
【特許請求の範囲】
【請求項１】
連続階調画像を表現するための網点を印刷する際に、
前記網点を印刷するためのハーフトーン領域としてｍ×ｍピクセル（ｍ≧２、ｍは整数）のハーフトーン領域とｎ×ｎピクセル（１≦ｎ＜ｍ、ｎは整数）のハーフトーン領域の２種類のハーフトーン領域を設け、
前記２種類のハーフトーン領域を互いに重なることなく配置するとともに、
互いに独立した領域にある４つの前記ｍ×ｍピクセルのハーフトーン領域が１つの前記ｎ×ｎピクセルのハーフトーン領域の周囲を隙間なく囲繞し、
互いに独立した領域にある４つの前記ｎ×ｎピクセルのハーフトーン領域が１つの前記ｍ×ｍピクセルのハーフトーン領域の外周に沿って等間隔に配置されるように前記２種類のハーフトーン領域を構成した上で、
前記２種類のハーフトーン領域の双方の種類のハーフトーン領域を用いて前記網点が印刷されていることを特徴とする網点印刷物。
【請求項２】
前記２種類のハーフトーン領域から構成された所定の領域において、前記２種類のハーフトーン領域の双方の種類のハーフトーン領域を用いて１つの連続階調画像を表現するための網点を印刷し、
前記所定の領域に１つの連続階調画像が印刷されていることを特徴とする請求項１記載の網点印刷物。
【請求項３】
前記２種類のハーフトーン領域から構成された所定の領域において、前記２種類のハーフトーン領域のそれぞれの種類のハーフトーン領域ごとに１つの連続階調画像を表現するための網点を印刷し、
前記所定の領域に２つの連続階調画像が印刷されていることを特徴とする請求項１記載の網点印刷物。
【請求項４】
前記所定の領域において、
通常光のもとで肉眼により等色に見えるが互いに異なる光学的特性を持った２種類のインキのいずれか一方のインキを用いて前記連続階調画像を表現するための網点を印刷し、前記２種類のインキの他方のインキを用いて前記連続階調画像を表現するための網点を除く領域を印刷し、
所定の視認条件のもとで前記連続階調画像を視認可能とするとともに、
通常光のもとで肉眼により前記所定の領域が全体として等色に見えるように印刷されていることを特徴とする請求項２記載の網点印刷物。
【請求項５】
前記所定の領域において、通常光のもとで肉眼により等色に見えるが互いに異なる光学的特性を持った２種類のインキのいずれか一方のインキを用いて前記２つの連続階調画像のいずれか一方の連続階調画像を表現するための網点を印刷し、前記２種類のインキの他方のインキを用いて前記２つの連続階調画像の他方の連続階調画像を表現するための網点を印刷し、前記２種類のインキのいずれのインキとも光学的特性が異なるが通常光のもとで肉眼により前記２種類のインキと等色に見えるインキを用いて前記２つの連続階調画像を表現するための網点を除く領域を印刷し、
所定の視認条件のもとで前記２つの連続階調画像のいずれか一方の連続階調画像を視認可能とし、前記所定の視認条件と異なる所定の視認条件のもとで前記２つの連続階調画像の他方の連続階調画像を視認可能とするとともに、
通常光のもとで肉眼により前記所定の領域が全体として等色に見えるように印刷されていることを特徴とする請求項３記載の網点印刷物。
【請求項６】
前記連続階調画像を表現するために前記２種類のハーフトーン領域のいずれか一方の種類のハーフトーン領域に印刷される網点は、
前記いずれか一方の種類のハーフトーン領域に対応させた所定の入力画像の輪郭内部を内部ぼかし処理して得られた網点であることを特徴とする請求項１乃至５のいずれかに記載の網点印刷物。
【請求項７】
前記連続階調画像を表現するために前記２種類のハーフトーン領域のいずれか一方の種類のハーフトーン領域に印刷される網点は、
前記いずれか一方の種類のハーフトーン領域に対応させた所定の入力画像の輪郭外部を外部ぼかし処理又は外部濃度分散処理して得られた網点であることを特徴とする請求項１乃至５のいずれかに記載の網点印刷物。
【請求項８】
前記連続階調画像を表現するために前記２種類のハーフトーン領域のいずれか一方の種類のハーフトーン領域に印刷される網点は、
前記いずれか一方の種類のハーフトーン領域に対応させた所定の入力画像の輪郭内部を内部ぼかし処理し、前記所定の入力画像の画線の交点部分に内部先鋭ぼかし処理して得られた網点であることを特徴とする請求項１乃至５のいずれかに記載の網点印刷物。
【請求項９】
前記連続階調画像を表現するために前記２種類のハーフトーン領域のいずれか一方の種類のハーフトーン領域に印刷される網点は、
前記いずれか一方の種類のハーフトーン領域に対応させた所定の入力画像の輪郭内部を内部ぼかし処理し、前記所定の入力画像の輪郭外部を外部ぼかし処理又は外部濃度分散処理して得られた網点であることを特徴とする請求項１乃至５のいずれかに記載の網点印刷物。
【請求項１０】
前記連続階調画像を表現するために前記２種類のハーフトーン領域のいずれか一方の種類のハーフトーン領域に印刷される網点は、
前記いずれか一方の種類のハーフトーン領域に対応させた所定の入力画像の輪郭内部を内部ぼかし処理し、前記所定の入力画像の画線の交点部分に内部先鋭ぼかし処理し、前記所定の入力画像の輪郭外部を外部ぼかし処理又は外部濃度分散処理して得られた網点であることを特徴とする請求項１乃至５のいずれかに記載の網点印刷物。
【請求項１１】
前記連続階調画像を表現するために前記２種類のハーフトーン領域のいずれか一方の種類のハーフトーン領域に印刷される網点は、
前記いずれか一方の種類のハーフトーン領域に対応させた所定の入力画像の輪郭外部を外部ぼかし処理又は外部濃度分散処理し、前記所定の入力画像の輪郭領域に数ピクセルの濃度ゼロ領域を割り当てて得られた網点であることを特徴とする請求項１乃至５のいずれかに記載の網点印刷物。
【請求項１２】
前記連続階調画像を表現するために前記２種類のハーフトーン領域のいずれか一方の種類のハーフトーン領域に印刷される網点は、
前記いずれか一方の種類のハーフトーン領域に対応させた所定の入力画像の輪郭内部を内部ぼかし処理し、前記所定の入力画像の外部を外部ぼかし処理又は外部濃度分散処理し、前記所定の入力画像の輪郭領域に数ピクセルの濃度ゼロ領域を割り当てて得られた網点であることを特徴とする請求項１乃至５のいずれかに記載の網点印刷物。
【請求項１３】
前記連続階調画像を表現するために前記２種類のハーフトーン領域のいずれか一方の種類のハーフトーン領域に印刷される網点は、
前記いずれか一方の種類のハーフトーン領域に対応させた所定の入力画像の輪郭内部を内部ぼかし処理し、前記所定の入力画像の画線の交点部分に内部先鋭ぼかし処理し、前記所定の入力画像の外部を外部ぼかし処理又は外部濃度分散処理し、前記所定の入力画像の輪郭領域に数ピクセルの濃度ゼロ領域を割り当てて得られた網点であることを特徴とする請求項１乃至５のいずれかに記載の網点印刷物。
【請求項１４】
前記連続階調画像を表現するために用いられるハーフトーン領域であって、前記いずれか一方の種類のハーフトーン領域を除く他方の種類のハーフトーン領域に印刷される網点は、
前記他方の種類のハーフトーン領域に対応させた所定の入力画像の輪郭内部を内部ぼかし処理して得られた網点であることを特徴とする請求項６乃至１３のいずれかに記載の網点印刷物。
【請求項１５】
前記連続階調画像を表現するために用いられるハーフトーン領域であって、前記いずれか一方の種類のハーフトーン領域を除く他方の種類のハーフトーン領域に印刷される網点は、
前記他方の種類のハーフトーン領域に対応させた所定の入力画像の輪郭外部を外部ぼかし処理又は外部濃度分散処理して得られた網点であることを特徴とする請求項６乃至１３のいずれかに記載の網点印刷物。
【請求項１６】
前記連続階調画像を表現するために用いられるハーフトーン領域であって、前記いずれか一方の種類のハーフトーン領域を除く他方の種類のハーフトーン領域に印刷される網点は、
前記他方の種類のハーフトーン領域に対応させた所定の入力画像の輪郭内部を内部ぼかし処理し、前記所定の入力画像の画線の交点部分に内部先鋭ぼかし処理して得られた網点であることを特徴とする請求項６乃至１３のいずれかに記載の網点印刷物。
【請求項１７】
前記連続階調画像を表現するために用いられるハーフトーン領域であって、前記いずれか一方の種類のハーフトーン領域を除く他方の種類のハーフトーン領域に印刷される網点は、
前記他方の種類のハーフトーン領域に対応させた所定の入力画像の輪郭内部を内部ぼかし処理し、前記所定の入力画像の輪郭外部を外部ぼかし処理又は外部濃度分散処理して得られた網点であることを特徴とする請求項６乃至１３のいずれかに記載の網点印刷物。
【請求項１８】
前記連続階調画像を表現するために用いられるハーフトーン領域であって、前記いずれか一方の種類のハーフトーン領域を除く他方の種類のハーフトーン領域に印刷される網点は、
前記他方の種類のハーフトーン領域に対応させた所定の入力画像の輪郭内部を内部ぼかし処理し、前記所定の入力画像の画線の交点部分に内部先鋭ぼかし処理し、前記所定の入力画像の輪郭外部を外部ぼかし処理又は外部濃度分散処理して得られた網点であることを特徴とする請求項６乃至１３のいずれかに記載の網点印刷物。
【請求項１９】
前記連続階調画像を表現するために用いられるハーフトーン領域であって、前記いずれか一方の種類のハーフトーン領域を除く他方の種類のハーフトーン領域に印刷される網点は、
前記他方の種類のハーフトーン領域に対応させた所定の入力画像の輪郭外部を外部ぼかし処理又は外部濃度分散処理し、前記所定の入力画像の輪郭領域に数ピクセルの濃度ゼロ領域を割り当てて得られた網点であることを特徴とする請求項６乃至１３のいずれかに記載の網点印刷物。
【請求項２０】
前記連続階調画像を表現するために用いられるハーフトーン領域であって、前記いずれか一方の種類のハーフトーン領域を除く他方の種類のハーフトーン領域に印刷される網点は、
前記他方の種類のハーフトーン領域に対応させた所定の入力画像の輪郭内部を内部ぼかし処理し、前記所定の入力画像の外部を外部ぼかし処理又は外部濃度分散処理し、前記所定の入力画像の輪郭領域に数ピクセルの濃度ゼロ領域を割り当てて得られた網点であることを特徴とする請求項６乃至１３のいずれかに記載の網点印刷物。
【請求項２１】
前記連続階調画像を表現するために用いられるハーフトーン領域であって、前記いずれか一方の種類のハーフトーン領域を除く他方の種類のハーフトーン領域に印刷される網点は、
前記他方の種類のハーフトーン領域に対応させた所定の入力画像の輪郭内部を内部ぼかし処理し、前記所定の入力画像の画線の交点部分に内部先鋭ぼかし処理し、前記所定の入力画像の外部を外部ぼかし処理又は外部濃度分散処理し、前記所定の入力画像の輪郭領域に数ピクセルの濃度ゼロ領域を割り当てて得られた網点であることを特徴とする請求項６乃至１３のいずれかに記載の網点印刷物。
【請求項２２】
前記所定の入力画像は、商標、家紋、ロゴマーク、文字のいずれかを含む有意味な画像及び円、楕円、多角形のいずれかを含む画像の少なくともいずれかの画像によって構成されていることを特徴とする請求項６乃至２１のいずれかに記載の網点印刷物。
【請求項２３】
連続階調画像を表現するための網点を印刷する際に、
前記網点を印刷するためのハーフトーン領域としてｍ×ｍピクセル（ｍ≧２、ｍは整数。）のハーフトーン領域とｎ×ｎピクセル（１≦ｎ＜ｍ、ｎは整数。）のハーフトーン領域の２種類のハーフトーン領域を設け、前記２種類のハーフトーン領域を互いに重なることなく配置するとともに、
互いに独立した領域にある４つの前記ｍ×ｍピクセルのハーフトーン領域が１つの前記ｎ×ｎピクセルのハーフトーン領域の周囲を隙間なく囲繞し、互いに独立した領域にある４つの前記ｎ×ｎピクセルのハーフトーン領域が１つの前記ｍ×ｍピクセルのハーフトーン領域の外周に沿って等間隔に配置されるように前記２種類のハーフトーン領域を構成した上で、
前記２種類のハーフトーン領域の双方の種類のハーフトーン領域を用いて前記網点を印刷することを特徴とする網点印刷物の印刷方法。
【請求項２４】
前記２種類のハーフトーン領域から構成された所定の領域において、前記２種類のハーフトーン領域の双方の種類のハーフトーン領域を用いて１つの連続階調画像を表現するための網点を印刷し、
前記所定の領域に１つの連続階調画像を印刷することを特徴とする請求項２３記載の網点印刷物の印刷方法。
【請求項２５】
前記２種類のハーフトーン領域から構成された所定の領域において、前記２種類のハーフトーン領域のそれぞれの種類のハーフトーン領域ごとに１つの連続階調画像を表現するための網点を印刷し、前記所定の領域に２つの連続階調画像を印刷することを特徴とする請求項２３記載の網点印刷物の印刷方法。
【請求項２６】
前記ｍ×ｍピクセルのハーフトーン領域に対応させた円形ドットを全ての前記ｍ×ｍピクセルのハーフトーン領域に配置するとともに、前記ｎ×ｎピクセルのハーフトーン領域に対応させた円形ドットを全ての前記ｎ×ｎピクセルのハーフトーン領域に配置した白黒２値のハーフトーン画像と、
前記ｍ×ｍピクセルのハーフトーン領域に対応させた円形ドットの白黒を反転した反転円形ドットを全ての前記ｍ×ｍピクセルのハーフトーン領域に配置するとともに、前記ｎ×ｎピクセルのハーフトーン領域に対応させた円形ドットを全ての前記ｎ×ｎピクセルのハーフトーン領域に配置した白黒２値のハーフトーン画像を画像演算処理して得られた画像の中から連続する黒の領域のみを選択して前記ｍ×ｍピクセルのハーフトーン領域と一致するマスクを作製し、
前記マスクを前記所定の領域に対して前記ｍ×ｍピクセルのハーフトーン領域と一致するように重ねることで、前記所定の領域から前記ｎ×ｎピクセルのハーフトーン領域を抽出し、
前記マスクの白黒を反転させたマスクを前記所定の領域に対して前記ｎ×ｎピクセルのハーフトーン領域と一致するように重ねることで、前記所定の領域から前記ｍ×ｍピクセルのハーフトーン領域を抽出することによって、
前記所定の領域を前記ｍ×ｍピクセルのハーフトーン領域と前記ｎ×ｎピクセルのハーフトーン領域の２種類のハーフトーン領域に分割した上で、
それぞれの種類のハーフトーン領域をそれぞれに対応する前記連続階調画像に割り当て、それぞれの種類のハーフトーン領域ごとに１つの連続階調画像を表現するための網点を印刷することを特徴とする請求項２５記載の網点印刷物の印刷方法。
【請求項２７】
前記所定の領域において、
通常光のもとで肉眼により等色に見えるが互いに異なる光学的特性を持った２種類のインキのいずれか一方のインキを用いて前記連続階調画像を表現するための網点を印刷し、前記２種類のインキの他方のインキを用いて前記連続階調画像を表現するための網点を除く領域を印刷し、
所定の視認条件のもとで前記連続階調画像を視認可能とするとともに、
通常光のもとで肉眼により前記所定の領域を全体として等色に見えるように印刷することを特徴とする請求項２４記載の網点印刷物の印刷方法。
【請求項２８】
前記所定の領域において、
通常光のもとで肉眼により等色に見えるが互いに異なる光学的特性を持った２種類のインキのいずれか一方のインキを用いて前記２つの連続階調画像のいずれか一方の連続階調画像を表現するための網点を印刷し、前記２種類のインキの他方のインキを用いて前記２つの連続階調画像の他方の連続階調画像を表現するための網点を印刷し、前記２種類のインキのいずれのインキとも光学的特性が異なるが通常光のもとで肉眼により前記２種類のインキと等色に見えるインキを用いて前記２つの連続階調画像を表現するための網点を除く領域を印刷し、所定の視認条件のもとで前記２つの連続階調画像のいずれか一方の連続階調画像を視認可能とし、前記所定の視認条件と異なる所定の視認条件のもとで前記２つの連続階調画像の他方の連続階調画像を視認可能とするとともに、
通常光のもとで肉眼により前記所定の領域を全体として等色に見えるように印刷することを特徴とする請求項２５又は２６記載の網点印刷物の印刷方法。
【請求項２９】
前記連続階調画像を表現するために前記２種類のハーフトーン領域のいずれか一方の種類のハーフトーン領域に印刷される網点は、
前記いずれか一方の種類のハーフトーン領域に対応させた所定の入力画像の輪郭内部を内部ぼかし処理して得られた網点であることを特徴とする請求項２３乃至２８のいずれかに記載の網点印刷物の印刷方法。
【請求項３０】
前記連続階調画像を表現するために前記２種類のハーフトーン領域のいずれか一方の種類のハーフトーン領域に印刷される網点は、
前記いずれか一方の種類のハーフトーン領域に対応させた所定の入力画像の輪郭外部を外部ぼかし処理又は外部濃度分散処理して得られた網点であることを特徴とする請求項２３乃至２８のいずれかに記載の網点印刷物の印刷方法。
【請求項３１】
前記連続階調画像を表現するために前記２種類のハーフトーン領域のいずれか一方の種類のハーフトーン領域に印刷される網点は、
前記いずれか一方の種類のハーフトーン領域に対応させた所定の入力画像の輪郭内部を内部ぼかし処理し、前記所定の入力画像の画線の交点部分に内部先鋭ぼかし処理して得られた網点であることを特徴とする請求項２３乃至２８のいずれかに記載の網点印刷物の印刷方法。
【請求項３２】
前記連続階調画像を表現するために前記２種類のハーフトーン領域のいずれか一方の種類のハーフトーン領域に印刷される網点は、
前記いずれか一方の種類のハーフトーン領域に対応させた所定の入力画像の輪郭内部を内部ぼかし処理し、前記所定の入力画像の輪郭外部を外部ぼかし処理又は外部濃度分散処理して得られた網点であることを特徴とする請求項２３乃至２８のいずれかに記載の網点印刷物の印刷方法。
【請求項３３】
前記連続階調画像を表現するために前記２種類のハーフトーン領域のいずれか一方の種類のハーフトーン領域に印刷される網点は、
前記いずれか一方の種類のハーフトーン領域に対応させた所定の入力画像の輪郭内部を内部ぼかし処理し、前記所定の入力画像の画線の交点部分に内部先鋭ぼかし処理し、前記所定の入力画像の輪郭外部を外部ぼかし処理又は外部濃度分散処理して得られた網点であることを特徴とする請求項２３乃至２８のいずれかに記載の網点印刷物の印刷方法。
【請求項３４】
前記連続階調画像を表現するために前記２種類のハーフトーン領域のいずれか一方の種類のハーフトーン領域に印刷される網点は、
前記いずれか一方の種類のハーフトーン領域に対応させた所定の入力画像の輪郭外部を外部ぼかし処理又は外部濃度分散処理し、前記所定の入力画像の輪郭領域に数ピクセルの濃度ゼロ領域を割り当てて得られた網点であることを特徴とする請求項２３乃至２８のいずれかに記載の網点印刷物の印刷方法。
【請求項３５】
前記連続階調画像を表現するために前記２種類のハーフトーン領域のいずれか一方の種類のハーフトーン領域に印刷される網点は、
前記いずれか一方の種類のハーフトーン領域に対応させた所定の入力画像の輪郭内部を内部ぼかし処理し、前記所定の入力画像の外部を外部ぼかし処理又は外部濃度分散処理し、前記所定の入力画像の輪郭領域に数ピクセルの濃度ゼロ領域を割り当てて得られた網点であることを特徴とする請求項２３乃至２８のいずれかに記載の網点印刷物の印刷方法。
【請求項３６】
前記連続階調画像を表現するために前記２種類のハーフトーン領域のいずれか一方の種類のハーフトーン領域に印刷される網点は、
前記いずれか一方の種類のハーフトーン領域に対応させた所定の入力画像の輪郭内部を内部ぼかし処理し、前記所定の入力画像の画線の交点部分に内部先鋭ぼかし処理し、前記所定の入力画像の外部を外部ぼかし処理又は外部濃度分散処理し、前記所定の入力画像の輪郭領域に数ピクセルの濃度ゼロ領域を割り当てて得られた網点であることを特徴とする請求項２３乃至２８のいずれかに記載の網点印刷物の印刷方法。
【請求項３７】
前記連続階調画像を表現するために用いられるハーフトーン領域であって、前記いずれか一方の種類のハーフトーン領域を除く他方の種類のハーフトーン領域に印刷される網点は、
前記他方の種類のハーフトーン領域に対応させた所定の入力画像の輪郭内部を内部ぼかし処理して得られた網点であることを特徴とする請求項２９乃至３６のいずれかに記載の網点印刷物の印刷方法。
【請求項３８】
前記連続階調画像を表現するために用いられるハーフトーン領域であって、前記いずれか一方の種類のハーフトーン領域を除く他方の種類のハーフトーン領域に印刷される網点は、
前記他方の種類のハーフトーン領域に対応させた所定の入力画像の輪郭外部を外部ぼかし処理又は外部濃度分散処理して得られた網点であることを特徴とする請求項２９乃至３６のいずれかに記載の網点印刷物の印刷方法。
【請求項３９】
前記連続階調画像を表現するために用いられるハーフトーン領域であって、前記いずれか一方の種類のハーフトーン領域を除く他方の種類のハーフトーン領域に印刷される網点は、
前記他方の種類のハーフトーン領域に対応させた所定の入力画像の輪郭内部を内部ぼかし処理し、前記所定の入力画像の画線の交点部分に内部先鋭ぼかし処理して得られた網点であることを特徴とする請求項２９乃至３６のいずれかに記載の網点印刷物の印刷方法。
【請求項４０】
前記連続階調画像を表現するために用いられるハーフトーン領域であって、前記いずれか一方の種類のハーフトーン領域を除く他方の種類のハーフトーン領域に印刷される網点は、
前記他方の種類のハーフトーン領域に対応させた所定の入力画像の輪郭内部を内部ぼかし処理し、前記所定の入力画像の輪郭外部を外部ぼかし処理又は外部濃度分散処理して得られた網点であることを特徴とする請求項２９乃至３６のいずれかに記載の網点印刷物の印刷方法。
【請求項４１】
前記連続階調画像を表現するために用いられるハーフトーン領域であって、前記いずれか一方の種類のハーフトーン領域を除く他方の種類のハーフトーン領域に印刷される網点は、
前記他方の種類のハーフトーン領域に対応させた所定の入力画像の輪郭内部を内部ぼかし処理し、前記所定の入力画像の画線の交点部分に内部先鋭ぼかし処理し、前記所定の入力画像の輪郭外部を外部ぼかし処理又は外部濃度分散処理して得られた網点であることを特徴とする請求項２９乃至３６のいずれかに記載の網点印刷物の印刷方法。
【請求項４２】
前記連続階調画像を表現するために用いられるハーフトーン領域であって、前記いずれか一方の種類のハーフトーン領域を除く他方の種類のハーフトーン領域に印刷される網点は、
前記他方の種類のハーフトーン領域に対応させた所定の入力画像の輪郭外部を外部ぼかし処理又は外部濃度分散処理し、前記所定の入力画像の輪郭領域に数ピクセルの濃度ゼロ領域を割り当てて得られた網点であることを特徴とする請求項２９乃至３６のいずれかに記載の網点印刷物の印刷方法。
【請求項４３】
前記連続階調画像を表現するために用いられるハーフトーン領域であって、前記いずれか一方の種類のハーフトーン領域を除く他方の種類のハーフトーン領域に印刷される網点は、
前記他方の種類のハーフトーン領域に対応させた所定の入力画像の輪郭内部を内部ぼかし処理し、前記所定の入力画像の外部を外部ぼかし処理又は外部濃度分散処理し、前記所定の入力画像の輪郭領域に数ピクセルの濃度ゼロ領域を割り当てて得られた網点であることを特徴とする請求項２９乃至３６のいずれかに記載の網点印刷物の印刷方法。
【請求項４４】
前記連続階調画像を表現するために用いられるハーフトーン領域であって、前記いずれか一方の種類のハーフトーン領域を除く他方の種類のハーフトーン領域に印刷される網点は、
前記他方の種類のハーフトーン領域に対応させた所定の入力画像の輪郭内部を内部ぼかし処理し、前記所定の入力画像の画線の交点部分に内部先鋭ぼかし処理し、前記所定の入力画像の外部を外部ぼかし処理又は外部濃度分散処理し、前記所定の入力画像の輪郭領域に数ピクセルの濃度ゼロ領域を割り当てて得られた網点であることを特徴とする請求項２９乃至３６のいずれかに記載の網点印刷物の印刷方法。
【請求項４５】
前記所定の入力画像は、商標、家紋、ロゴマーク、文字のいずれかを含む有意味な画像及び円、楕円、多角形のいずれかを含む画像の少なくともいずれかの画像によって構成されていることを特徴とする請求項２９乃至４４のいずれかに記載の網点印刷物の印刷方法。
【発明の詳細な説明】
【技術分野】
【０００１】
本発明は、紙幣、パスポート、有価証券、カード、貴重印刷物を含む偽造防止及び改ざん防止機能が必要とされる印刷物に利用されるものである。
【背景技術】
【０００２】
有価証券の偽造防止技術には、地紋、彩紋模様、レリーフ模様等の細線を用いる方法や微小文字等の微細構成要素を用いる方法がある。基本的には、一定の画線幅による曲画線の集合によって模様を構成したり、微小文字を配列したりするものである。前記模様類は、証券デザイン等の意匠性を加味して偽造、変造防止策を施すことができるとともに、模様を複雑にすることよって同一の模様を複製することを困難とすることができる。また、写真製版装置による抽出又は複写機による再現を困難とする色彩を用いたり、複雑な曲画線にして複写機やスキャナの走査入出力に対するモアレを発生させたりすることで偽造防止策としての役割を高めてきた。更に、これらの模様類は、証券デザインとして広く用いられていると同時に、紙幣、株券、債券を含む金銭的価値を有する印刷物の模様として古くから用いられており、現在も一般的に高級感を印象づけるデザインとして重要な模様となっている。
【発明の開示】
【発明が解決しようとする課題】
【０００３】
しかし、近年、カラー複写機の高画質化、カラー製版技術のコンピュータ化に伴い、紙幣や有価証券類の偽造手段が多様化する傾向にある。特に、印刷産業分野で使用される画像入出力機器の解像度が著しく向上し、有価証券類に使用されている細線や微小文字の抽出が容易になってきた。このことは、単に４色の網点構成からなる一般商業印刷法による偽造だけではなく、特色版を多用したより本格的な偽造の可能性を示唆している。
【０００４】
そこで、本発明は、所定の入力画像を画像処理して得られた網点であって、写真製版装置では複製が困難であり、且つ、機械読取することができる網点を用いて連続階調画像を印刷して印刷物の偽造防止を図ろうとするものである。
【課題を解決するための手段】
【０００５】
本発明の網点印刷物は、連続階調画像を表現するための網点を印刷する際に、前記網点を印刷するためのハーフトーン領域としてｍ×ｍピクセル（ｍ≧２、ｍは整数）のハーフトーン領域とｎ×ｎピクセル（１≦ｎ＜ｍ、ｎは整数）のハーフトーン領域の２種類のハーフトーン領域を設け、前記２種類のハーフトーン領域を互いに重なることなく配置するとともに、互いに独立した領域にある４つの前記ｍ×ｍピクセルのハーフトーン領域が１つの前記ｎ×ｎピクセルのハーフトーン領域の周囲を隙間なく囲繞し、互いに独立した領域にある４つの前記ｎ×ｎピクセルのハーフトーン領域が１つの前記ｍ×ｍピクセルのハーフトーン領域の外周に沿って等間隔に配置されるように前記２種類のハーフトーン領域を構成した上で、前記２種類のハーフトーン領域の双方の種類のハーフトーン領域を用いて前記網点が印刷されていることを特徴としている。
【０００６】
また、本発明の網点印刷物は、前記２種類のハーフトーン領域から構成された所定の領域において、前記２種類のハーフトーン領域の双方の種類のハーフトーン領域を用いて１つの連続階調画像を表現するための網点を印刷し、前記所定の領域に１つの連続階調画像が印刷されていることを特徴としている。
【０００７】
また、本発明の網点印刷物は、前記２種類のハーフトーン領域から構成された所定の領域において、前記２種類のハーフトーン領域のそれぞれの種類のハーフトーン領域ごとに１つの連続階調画像を表現するための網点を印刷し、前記所定の領域に２つの連続階調画像が印刷されていることを特徴としている。
【０００８】
また、本発明の網点印刷物は、通常光のもとで肉眼により等色に見えるが互いに異なる光学的特性を持った２種類のインキのいずれか一方のインキを用いて前記連続階調画像を表現するための網点を印刷し、前記２種類のインキの他方のインキを用いて前記連続階調画像を表現するための網点を除く領域を印刷し、所定の視認条件のもとで前記連続階調画像を視認可能とするとともに、通常光のもとで肉眼により前記所定の領域が全体として等色に見えるように印刷されていることを特徴としている。
【０００９】
また、本発明の網点印刷物は、前記所定の領域において、通常光のもとで肉眼により等色に見えるが互いに異なる光学的特性を持った２種類のインキのいずれか一方のインキを用いて前記２つの連続階調画像のいずれか一方の連続階調画像を表現するための網点を印刷し、前記２種類のインキの他方のインキを用いて前記２つの連続階調画像の他方の連続階調画像を表現するための網点を印刷し、前記２種類のインキのいずれのインキとも光学的特性が異なるが通常光のもとで肉眼により前記２種類のインキと等色に見えるインキを用いて前記２つの連続階調画像を表現するための網点を除く領域を印刷し、所定の視認条件のもとで前記２つの連続階調画像のいずれか一方の連続階調画像を視認可能とし、前記所定の視認条件と異なる所定の視認条件のもとで前記２つの連続階調画像の他方の連続階調画像を視認可能とするとともに、通常光のもとで肉眼により前記所定の領域が全体として等色に見えるように印刷されていることを特徴としている。
【００１０】
また、本発明の網点印刷物は、前記連続階調画像を表現するために前記２種類のハーフトーン領域のいずれか一方の種類のハーフトーン領域に印刷される網点は、前記いずれか一方の種類のハーフトーン領域に対応させた所定の入力画像の輪郭内部を内部ぼかし処理して得られた網点であることを特徴としている。
【００１１】
また、本発明の網点印刷物は、前記連続階調画像を表現するために前記２種類のハーフトーン領域のいずれか一方の種類のハーフトーン領域に印刷される網点が、前記いずれか一方の種類のハーフトーン領域に対応させた所定の入力画像の輪郭外部を外部ぼかし処理又は外部濃度分散処理して得られた網点であることを特徴としている。
【００１２】
また、本発明の網点印刷物は、前記連続階調画像を表現するために前記２種類のハーフトーン領域のいずれか一方の種類のハーフトーン領域に印刷される網点が、前記いずれか一方の種類のハーフトーン領域に対応させた所定の入力画像の輪郭内部を内部ぼかし処理し、前記所定の入力画像の画線の交点部分に内部先鋭ぼかし処理して得られた網点であることを特徴としている。
【００１３】
また、本発明の網点印刷物は、前記連続階調画像を表現するために前記２種類のハーフトーン領域のいずれか一方の種類のハーフトーン領域に印刷される網点が、前記いずれか一方の種類のハーフトーン領域に対応させた所定の入力画像の輪郭内部を内部ぼかし処理し、前記所定の入力画像の輪郭外部を外部ぼかし処理又は外部濃度分散処理して得られた網点であることを特徴としている。
【００１４】
また、本発明の網点印刷物は、前記連続階調画像を表現するために前記２種類のハーフトーン領域のいずれか一方の種類のハーフトーン領域に印刷される網点が、前記いずれか一方の種類のハーフトーン領域に対応させた所定の入力画像の輪郭内部を内部ぼかし処理し、前記所定の入力画像の画線の交点部分に内部先鋭ぼかし処理し、前記所定の入力画像の輪郭外部を外部ぼかし処理又は外部濃度分散処理して得られた網点であることを特徴としている。
【００１５】
また、本発明の網点印刷物は、前記連続階調画像を表現するために前記２種類のハーフトーン領域のいずれか一方の種類のハーフトーン領域に印刷される網点が、前記いずれか一方の種類のハーフトーン領域に対応させた所定の入力画像の輪郭外部を外部ぼかし処理又は外部濃度分散処理し、前記所定の入力画像の輪郭領域に数ピクセルの濃度ゼロ領域を割り当てて得られた網点であることを特徴としている。
【００１６】
また、本発明の網点印刷物は、前記連続階調画像を表現するために前記２種類のハーフトーン領域のいずれか一方の種類のハーフトーン領域に印刷される網点が、前記いずれか一方の種類のハーフトーン領域に対応させた所定の入力画像の輪郭内部を内部ぼかし処理し、前記所定の入力画像の外部を外部ぼかし処理又は外部濃度分散処理し、前記所定の入力画像の輪郭領域に数ピクセルの濃度ゼロ領域を割り当てて得られた網点であることを特徴としている。
【００１７】
また、本発明の網点印刷物は、前記連続階調画像を表現するために前記２種類のハーフトーン領域のいずれか一方の種類のハーフトーン領域に印刷される網点が、前記いずれか一方の種類のハーフトーン領域に対応させた所定の入力画像の輪郭内部を内部ぼかし処理し、前記所定の入力画像の画線の交点部分に内部先鋭ぼかし処理し、前記所定の入力画像の外部を外部ぼかし処理又は外部濃度分散処理し、前記所定の入力画像の輪郭領域に数ピクセルの濃度ゼロ領域を割り当てて得られた網点であることを特徴としている。
【００１８】
また、本発明の網点印刷物は、前記連続階調画像を表現するために用いられるハーフトーン領域であって、前記いずれか一方の種類のハーフトーン領域を除く他方の種類のハーフトーン領域に印刷される網点が、前記他方の種類のハーフトーン領域に対応させた所定の入力画像の輪郭内部を内部ぼかし処理して得られた網点であることを特徴としている。
【００１９】
また、本発明の網点印刷物は、前記連続階調画像を表現するために用いられるハーフトーン領域であって、前記いずれか一方の種類のハーフトーン領域を除く他方の種類のハーフトーン領域に印刷される網点が、前記他方の種類のハーフトーン領域に対応させた所定の入力画像の輪郭外部を外部ぼかし処理又は外部濃度分散処理して得られた網点であることを特徴としている。
【００２０】
また、本発明の網点印刷物は、前記連続階調画像を表現するために用いられるハーフトーン領域であって、前記いずれか一方の種類のハーフトーン領域を除く他方の種類のハーフトーン領域に印刷される網点が、前記他方の種類のハーフトーン領域に対応させた所定の入力画像の輪郭内部を内部ぼかし処理し、前記所定の入力画像の画線の交点部分に内部先鋭ぼかし処理して得られた網点であることを特徴としている。
【００２１】
また、本発明の網点印刷物は、前記連続階調画像を表現するために用いられるハーフトーン領域であって、前記いずれか一方の種類のハーフトーン領域を除く他方の種類のハーフトーン領域に印刷される網点が、前記他方の種類のハーフトーン領域に対応させた所定の入力画像の輪郭内部を内部ぼかし処理し、前記所定の入力画像の輪郭外部を外部ぼかし処理又は外部濃度分散処理して得られた網点であることを特徴としている。
【００２２】
また、本発明の網点印刷物は、前記連続階調画像を表現するために用いられるハーフトーン領域であって、前記いずれか一方の種類のハーフトーン領域を除く他方の種類のハーフトーン領域に印刷される網点が、前記他方の種類のハーフトーン領域に対応させた所定の入力画像の輪郭内部を内部ぼかし処理し、前記所定の入力画像の画線の交点部分に内部先鋭ぼかし処理し、前記所定の入力画像の輪郭外部を外部ぼかし処理又は外部濃度分散処理して得られた網点であることを特徴としている。
【００２３】
また、本発明の網点印刷物は、前記連続階調画像を表現するために用いられるハーフトーン領域であって、前記いずれか一方の種類のハーフトーン領域を除く他方の種類のハーフトーン領域に印刷される網点が、前記他方の種類のハーフトーン領域に対応させた所定の入力画像の輪郭外部を外部ぼかし処理又は外部濃度分散処理し、前記所定の入力画像の輪郭領域に数ピクセルの濃度ゼロ領域を割り当てて得られた網点であることを特徴としている。
【００２４】
また、本発明の網点印刷物は、前記連続階調画像を表現するために用いられるハーフトーン領域であって、前記いずれか一方の種類のハーフトーン領域を除く他方の種類のハーフトーン領域に印刷される網点が、前記他方の種類のハーフトーン領域に対応させた所定の入力画像の輪郭内部を内部ぼかし処理し、前記所定の入力画像の外部を外部ぼかし処理又は外部濃度分散処理し、前記所定の入力画像の輪郭領域に数ピクセルの濃度ゼロ領域を割り当てて得られた網点であることを特徴としている。
【００２５】
また、本発明の網点印刷物は、前記連続階調画像を表現するために用いられるハーフトーン領域であって、前記いずれか一方の種類のハーフトーン領域を除く他方の種類のハーフトーン領域に印刷される網点が、前記他方の種類のハーフトーン領域に対応させた所定の入力画像の輪郭内部を内部ぼかし処理し、前記所定の入力画像の画線の交点部分に内部先鋭ぼかし処理し、前記所定の入力画像の外部を外部ぼかし処理又は外部濃度分散処理し、前記所定の入力画像の輪郭領域に数ピクセルの濃度ゼロ領域を割り当てて得られた網点であることを特徴としている。
【００２６】
また、本発明の網点印刷物は、前記所定の入力画像が、商標、家紋、ロゴマーク、文字のいずれかを含む有意味な画像及び円、楕円、多角形のいずれかを含む画像の少なくともいずれかの画像によって構成されていることを特徴としている。
【００２７】
また、本発明の網点印刷物の印刷方法は、連続階調画像を表現するための網点を印刷する際に、前記網点を印刷するためのハーフトーン領域としてｍ×ｍピクセル（ｍ≧２、ｍは整数。）のハーフトーン領域とｎ×ｎピクセル（１≦ｎ＜ｍ、ｎは整数。）のハーフトーン領域の２種類のハーフトーン領域を設け、前記２種類のハーフトーン領域を互いに重なることなく配置するとともに、互いに独立した領域にある４つの前記ｍ×ｍピクセルのハーフトーン領域が１つの前記ｎ×ｎピクセルのハーフトーン領域の周囲を隙間なく囲繞し、互いに独立した領域にある４つの前記ｎ×ｎピクセルのハーフトーン領域が１つの前記ｍ×ｍピクセルのハーフトーン領域の外周に沿って等間隔に配置されるように前記２種類のハーフトーン領域を構成した上で、前記２種類のハーフトーン領域の双方の種類のハーフトーン領域を用いて前記網点を印刷することを特徴としている。
【００２８】
また、本発明の網点印刷物の印刷方法は、前記２種類のハーフトーン領域から構成された所定の領域において、前記２種類のハーフトーン領域の双方の種類のハーフトーン領域を用いて１つの連続階調画像を表現するための網点を印刷し、前記所定の領域に１つの連続階調画像を印刷することを特徴としている。
【００２９】
また、本発明の網点印刷物の印刷方法は、前記２種類のハーフトーン領域から構成された所定の領域において、前記２種類のハーフトーン領域のそれぞれの種類のハーフトーン領域ごとに１つの連続階調画像を表現するための網点を印刷し、前記所定の領域に２つの連続階調画像を印刷することを特徴としている。
【００３０】
また、本発明の網点印刷物の印刷方法は、前記ｍ×ｍピクセルのハーフトーン領域に対応させた円形ドットを全ての前記ｍ×ｍピクセルのハーフトーン領域に配置するとともに、前記ｎ×ｎピクセルのハーフトーン領域に対応させた円形ドットを全ての前記ｎ×ｎピクセルのハーフトーン領域に配置した白黒２値のハーフトーン画像と、前記ｍ×ｍピクセルのハーフトーン領域に対応させた円形ドットの白黒を反転した反転円形ドットを全ての前記ｍ×ｍピクセルのハーフトーン領域に配置するとともに、前記ｎ×ｎピクセルのハーフトーン領域に対応させた円形ドットを全ての前記ｎ×ｎピクセルのハーフトーン領域に配置した白黒２値のハーフトーン画像を画像演算処理して得られた画像の中から連続する黒の領域のみを選択して前記ｍ×ｍピクセルのハーフトーン領域と一致するマスクを作製し、前記マスクを前記所定の領域に対して前記ｍ×ｍピクセルのハーフトーン領域と一致するように重ねることで、前記所定の領域から前記ｎ×ｎピクセルのハーフトーン領域を抽出し、前記マスクの白黒を反転させたマスクを前記所定の領域に対して前記ｎ×ｎピクセルのハーフトーン領域と一致するように重ねることで、前記所定の領域から前記ｍ×ｍピクセルのハーフトーン領域を抽出することによって、前記所定の領域を前記ｍ×ｍピクセルのハーフトーン領域と前記ｎ×ｎピクセルのハーフトーン領域の２種類のハーフトーン領域に分割した上で、それぞれの種類のハーフトーン領域をそれぞれに対応する前記連続階調画像に割り当て、それぞれの種類のハーフトーン領域ごとに１つの連続階調画像を表現するための網点を印刷することを特徴としている。
【００３１】
また、本発明の網点印刷物の印刷方法は、前記所定の領域において、通常光のもとで肉眼により等色に見えるが互いに異なる光学的特性を持った２種類のインキのいずれか一方のインキを用いて前記連続階調画像を表現するための網点を印刷し、前記２種類のインキの他方のインキを用いて前記連続階調画像を表現するための網点を除く領域を印刷し、所定の視認条件のもとで前記連続階調画像を視認可能とするとともに、通常光のもとで肉眼により前記所定の領域を全体として等色に見えるように印刷することを特徴としている。
【００３２】
また、本発明の網点印刷物の印刷方法は、前記所定の領域において、通常光のもとで肉眼により等色に見えるが互いに異なる光学的特性を持った２種類のインキのいずれか一方のインキを用いて前記２つの連続階調画像のいずれか一方の連続階調画像を表現するための網点を印刷し、前記２種類のインキの他方のインキを用いて前記２つの連続階調画像の他方の連続階調画像を表現するための網点を印刷し、前記２種類のインキのいずれのインキとも光学的特性が異なるが通常光のもとで肉眼により前記２種類のインキと等色に見えるインキを用いて前記２つの連続階調画像を表現するための網点を除く領域を印刷し、所定の視認条件のもとで前記２つの連続階調画像のいずれか一方の連続階調画像を視認可能とし、前記所定の視認条件と異なる所定の視認条件のもとで前記２つの連続階調画像の他方の連続階調画像を視認可能とするとともに、通常光のもとで肉眼により前記所定の領域を全体として等色に見えるように印刷することを特徴としている。
【００３３】
また、本発明の網点印刷物の印刷方法は、前記連続階調画像を表現するために前記２種類のハーフトーン領域のいずれか一方の種類のハーフトーン領域に印刷される網点が、前記いずれか一方の種類のハーフトーン領域に対応させた所定の入力画像の輪郭内部を内部ぼかし処理して得られた網点であることを特徴としている。
【００３４】
また、本発明の網点印刷物の印刷方法は、前記連続階調画像を表現するために前記２種類のハーフトーン領域のいずれか一方の種類のハーフトーン領域に印刷される網点が、前記いずれか一方の種類のハーフトーン領域に対応させた所定の入力画像の輪郭外部を外部ぼかし処理又は外部濃度分散処理して得られた網点であることを特徴としている。
【００３５】
また、本発明の網点印刷物の印刷方法は、前記連続階調画像を表現するために前記２種類のハーフトーン領域のいずれか一方の種類のハーフトーン領域に印刷される網点が、前記いずれか一方の種類のハーフトーン領域に対応させた所定の入力画像の輪郭内部を内部ぼかし処理し、前記所定の入力画像の画線の交点部分に内部先鋭ぼかし処理して得られた網点であることを特徴としている。
【００３６】
また、本発明の網点印刷物の印刷方法は、前記連続階調画像を表現するために前記２種類のハーフトーン領域のいずれか一方の種類のハーフトーン領域に印刷される網点が、前記いずれか一方の種類のハーフトーン領域に対応させた所定の入力画像の輪郭内部を内部ぼかし処理し、前記所定の入力画像の輪郭外部を外部ぼかし処理又は外部濃度分散処理して得られた網点であることを特徴としている。
【００３７】
また、本発明の網点印刷物の印刷方法は、前記連続階調画像を表現するために前記２種類のハーフトーン領域のいずれか一方の種類のハーフトーン領域に印刷される網点が、前記いずれか一方の種類のハーフトーン領域に対応させた所定の入力画像の輪郭内部を内部ぼかし処理し、前記所定の入力画像の画線の交点部分に内部先鋭ぼかし処理し、前記所定の入力画像の輪郭外部を外部ぼかし処理又は外部濃度分散処理して得られた網点であることを特徴としている。
【００３８】
また、本発明の網点印刷物の印刷方法は、前記連続階調画像を表現するために前記２種類のハーフトーン領域のいずれか一方の種類のハーフトーン領域に印刷される網点が、前記いずれか一方の種類のハーフトーン領域に対応させた所定の入力画像の輪郭外部を外部ぼかし処理又は外部濃度分散処理し、前記所定の入力画像の輪郭領域に数ピクセルの濃度ゼロ領域を割り当てて得られた網点であることを特徴としている。
【００３９】
また、本発明の網点印刷物の印刷方法は、前記連続階調画像を表現するために前記２種類のハーフトーン領域のいずれか一方の種類のハーフトーン領域に印刷される網点が、前記いずれか一方の種類のハーフトーン領域に対応させた所定の入力画像の輪郭内部を内部ぼかし処理し、前記所定の入力画像の外部を外部ぼかし処理又は外部濃度分散処理し、前記所定の入力画像の輪郭領域に数ピクセルの濃度ゼロ領域を割り当てて得られた網点であることを特徴としている。
【００４０】
また、本発明の網点印刷物の印刷方法は、前記連続階調画像を表現するために前記２種類のハーフトーン領域のいずれか一方の種類のハーフトーン領域に印刷される網点が、前記いずれか一方の種類のハーフトーン領域に対応させた所定の入力画像の輪郭内部を内部ぼかし処理し、前記所定の入力画像の画線の交点部分に内部先鋭ぼかし処理し、前記所定の入力画像の外部を外部ぼかし処理又は外部濃度分散処理し、前記所定の入力画像の輪郭領域に数ピクセルの濃度ゼロ領域を割り当てて得られた網点であることを特徴としている。
【００４１】
また、本発明の網点印刷物の印刷方法は、前記連続階調画像を表現するために用いられるハーフトーン領域であって、前記いずれか一方の種類のハーフトーン領域を除く他方の種類のハーフトーン領域に印刷される網点が、前記他方の種類のハーフトーン領域に対応させた所定の入力画像の輪郭内部を内部ぼかし処理して得られた網点であることを特徴としている。
【００４２】
また、本発明の網点印刷物の印刷方法は、前記連続階調画像を表現するために用いられるハーフトーン領域であって、前記いずれか一方の種類のハーフトーン領域を除く他方の種類のハーフトーン領域に印刷される網点が、前記他方の種類のハーフトーン領域に対応させた所定の入力画像の輪郭外部を外部ぼかし処理又は外部濃度分散処理して得られた網点であることを特徴としている。
【００４３】
また、本発明の網点印刷物の印刷方法は、前記連続階調画像を表現するために用いられるハーフトーン領域であって、前記いずれか一方の種類のハーフトーン領域を除く他方の種類のハーフトーン領域に印刷される網点が、前記他方の種類のハーフトーン領域に対応させた所定の入力画像の輪郭内部を内部ぼかし処理し、前記所定の入力画像の画線の交点部分に内部先鋭ぼかし処理して得られた網点であることを特徴としている。
【００４４】
また、本発明の網点印刷物の印刷方法は、前記連続階調画像を表現するために用いられるハーフトーン領域であって、前記いずれか一方の種類のハーフトーン領域を除く他方の種類のハーフトーン領域に印刷される網点が、前記他方の種類のハーフトーン領域に対応させた所定の入力画像の輪郭内部を内部ぼかし処理し、前記所定の入力画像の輪郭外部を外部ぼかし処理又は外部濃度分散処理して得られた網点であることを特徴としている。
【００４５】
また、本発明の網点印刷物の印刷方法は、前記連続階調画像を表現するために用いられるハーフトーン領域であって、前記いずれか一方の種類のハーフトーン領域を除く他方の種類のハーフトーン領域に印刷される網点が、前記他方の種類のハーフトーン領域に対応させた所定の入力画像の輪郭内部を内部ぼかし処理し、前記所定の入力画像の画線の交点部分に内部先鋭ぼかし処理し、前記所定の入力画像の輪郭外部を外部ぼかし処理又は外部濃度分散処理して得られた網点であることを特徴としている。
【００４６】
また、本発明の網点印刷物の印刷方法は、前記連続階調画像を表現するために用いられるハーフトーン領域であって、前記いずれか一方の種類のハーフトーン領域を除く他方の種類のハーフトーン領域に印刷される網点が、前記他方の種類のハーフトーン領域に対応させた所定の入力画像の輪郭外部を外部ぼかし処理又は外部濃度分散処理し、前記所定の入力画像の輪郭領域に数ピクセルの濃度ゼロ領域を割り当てて得られた網点であることを特徴としている。
【００４７】
また、本発明の網点印刷物の印刷方法は、前記連続階調画像を表現するために用いられるハーフトーン領域であって、前記いずれか一方の種類のハーフトーン領域を除く他方の種類のハーフトーン領域に印刷される網点が、前記他方の種類のハーフトーン領域に対応させた所定の入力画像の輪郭内部を内部ぼかし処理し、前記所定の入力画像の外部を外部ぼかし処理又は外部濃度分散処理し、前記所定の入力画像の輪郭領域に数ピクセルの濃度ゼロ領域を割り当てて得られた網点であることを特徴としている。
【００４８】
また、本発明の網点印刷物の印刷方法は、前記連続階調画像を表現するために用いられるハーフトーン領域であって、前記いずれか一方の種類のハーフトーン領域を除く他方の種類のハーフトーン領域に印刷される網点が、前記他方の種類のハーフトーン領域に対応させた所定の入力画像の輪郭内部を内部ぼかし処理し、前記所定の入力画像の画線の交点部分に内部先鋭ぼかし処理し、前記所定の入力画像の外部を外部ぼかし処理又は外部濃度分散処理し、前記所定の入力画像の輪郭領域に数ピクセルの濃度ゼロ領域を割り当てて得られた網点であることを特徴としている。
【００４９】
また、本発明の網点印刷物の印刷方法は、前記所定の入力画像が、商標、家紋、ロゴマーク、文字のいずれかを含む有意味な画像及び円、楕円、多角形のいずれかを含む画像の少なくともいずれかの画像によって構成されていることを特徴としている。
【発明の効果】
【００５０】
本発明によれば、一般の製版用機器では複製が困難な網点であって、機械読取することができる網点を用いて連続階調画像を印刷することで、印刷物の偽造、変造防止を図ることができる。また、本発明によれば、所定の領域に１つの連続階調画像を印刷することができるとともに、所定の領域に２つの連続階調画像を互いに重なり合うことなく、且つ、所定の領域に２つの連続階調画像を網点の融合を生じることなく同等に配置して印刷することができる。この時、機能性インキを用いて所定の領域に連続階調画像を潜像となるように印刷し、通常光のもとで肉眼により機能性インキと等色に見える通常インキを用いて連続階調画像を除く領域を印刷すれば、潜像を印刷した所定の領域を全体として等色になるようにベタ印刷することができる。
【発明を実施するための最良の形態】
【００５１】
印刷産業分野では、印刷用紙に白黒２値に加え、中間調、すなわち、連続階調画像を表現するために必ず網点を必要とする。これは、人間が視覚によって濃淡を識別する際に、細かい点の集合体を一つの階調として認識する性質に依存している。前記連続階調画像をハーフトーン化する技術は大手製版メーカーに主導されてきたために、ユーザー自らが自由に網点を作成することは不可能であった。ところが、昨今の製版印刷業界においては、コンピュータページ記述言語の一つであるポストスクリプト言語の開発とポストスクリプト言語をベースとした市販のアプリケーションソフトの普及により文字と画像を統合したカラー印刷物を比較的容易に作成することが可能となり、更に、ポストスクリプト言語が普及することにより、ユーザーは網点の作成に着手することができるようになってきた。
【００５２】
ポストスクリプト言語をベースとした網点作成法では、ディジタルフィルムレコーダが用いられる。このディジタルフィルムレコーダは、アプリケーションソフトで作成された文字、画像又はイラストデータがポストスクリプト言語のページ記述データとして作成され、RIP (Raster Image Processor)と呼ばれる装置やソフトウェア RIPを用いて白黒の点の集合（ビットマップ）画像に変換され、１インチあたり2000〜5000ピクセルの高密度のレーザービームで感光材料に出力されるものである。本明細書で用いる「ピクセル」とは、連続階調画像を微小に区分けした最小部分を白黒２値で表した「画像要素」のことをいう。
【００５３】
前記ディジタルフィルムレコーダやソフトウェア RIPを用いた網点作成法によれば、例えば、振幅変調法は原稿の調子価に対して均衡的に大きさが変化するピクセルを規則的に配列することになる。この振幅変調法によって作成される網点の配列は、線数、網点角度、網点形状又はトーンバリューの増加に従って大きくなるピクセルの形状の変化の仕方によって決められる。
【００５４】
図２は、ポストスクリプト言語をベースとした一般商業印刷物の網点発生パターンを示している。例えば、１インチ当たり 300ピクセルの低解像度の出力装置でスクリーン線数60線／インチを表現するハーフトーン領域は、300／60=５ピクセル、すなわち、縦横５×５ピクセルの規則的に並んだ幾何学的格子（グリッド）に配列され、５×５＋１＝26階調表現となる。
【００５５】
また、網点形状は、数学的関数によって管理される。図３は、縦横５×５ピクセルの１個の網点の中心軸を（０、０）とし、個々のグリッドのアドレスを、−１から１までの数値で表したものである。これらの座標の値を受けて、数学的関数は、−１から１までの値を算出する。この値がピクセルを塗りつぶしていく優先順位となり、図３の各グリッドは、例えば、数学的関数１−（Ｘ2＋Ｙ2）の場合、それぞれのグリッドのアドレスＸ、Ｙを前記数学的関数のＸ、Ｙに代入していけば、図４に示すように、最初に中心の１が塗りつぶされ、次に0.75、更に0.5、．．．．．．、−１と数値の高い順番から塗りつぶされていく。なお、中心の１以外の数値は何箇所かに同じ数値が配置されているが、この数値間の順位は機械に内蔵されたコンピュータに依存している。数学的関数を用いれば、より複雑な網点形状を作成することが可能であり、偽造防止用階調再現法として有効である。しかし、この手法は、数学的関数及びポストスクリプト言語についての習熟が必要であり、例えば、商標、家紋、シンボルマーク、文字等、それ自体が意味をもつ意匠性ある任意形状を数学的関数のみで作成するには限界があった。
【００５６】
そこで、特開平11−268228号は、例えば、図１に示したいずれかの画像を画像処理して得られた網点からなる連続階調画像を紙幣や有価証券などに付与することによって、複写機等で複製困難な印刷物を作成し、偽造行為を未然に防ぎ、且つ、付与された網点を機械読取によって真偽判別できる機能を備えようとするものである。この方法によれば、前記数学的関数を用いないで、コンピュータ画像処理により個々のグリッド（格子）に対して連続階調画像の階調を直接施し、網点発生パターンに自由度を提供することができる。
【００５７】
図５は、任意の連続階調画像の１画素が26階調中14階調であった場合を例に、網点作成法を説明するための図である。前述した図４と同様の網点発生パターンを数学的関数を用いない手法で得るためには、図６に示すように連続階調画像の階調数、すなわち、26階調に対応させて各ピクセルに数値を割り当てる。26階調を各グリッドに対して直接施すことによって、図５の26階調中の14階調を網点で表現するためには、図６のように、最初に中心の１が塗りつぶされ、次に２、更に３、．．．．．．、12に対応させてピクセルの数値が高い順番からピクセルが塗りつぶされていき、14階調より小さい値13に至るまで順番にピクセルが塗りつぶされることになる。このように、縦横５×５ピクセルの個々のグリッドに対して、連続階調画像の階調数を直接施し、連続階調画像の個々の画素上の階調数に至るまでピクセルの数値が高い順番にピクセルの塗りつぶしを実行して網点を作成する。ここで、図７は、自由な網点作成が可能であることを説明している。前述した図６のように中心から外に向ってピクセルが塗りつぶされていく網点発生パターンに変化を与え、６階調の明るさをもつ時に、例えば、両目と口を示した顔の網点が現われている。
【００５８】
以上の原理を応用して、特開平11−268228号おいては、図８に示すように画像をぼかし処理させることによって、任意形状の画線幅を変調させる。図８では、ぼかし処理をした一部の断面を拡大した時の縦横５×５ピクセル個々のグリッドに階調数が施されている。この場合、線の中心から徐々に外に向かって、画線が太っていくことになる。また、網点画像内部で交差する領域を図９の破線で示すように、鋭角状にぼかし処理することにより、図10のＺ１で示すように、印刷時に発生しやすい画線の交点領域の画線のつぶれを防ぎ、可読性及び網点品質を向上させる。網点画像外部においては、グリッドの中心から周囲方向へのぼかし処理ではなく図10のＺ２で示すように、濃度分散処理することにより、連続階調中間から暗部にかけての階調再現性を向上させる。更に、網点の輪郭領域を、図10のＺ３で示すように、数ピクセルの濃度零(FF)領域を割り当て、内部と外部に塗りつぶされない間隙を与えることによって、連続階調画像の明部から暗部にかけての全領域で網点を認識でき、網点の可読性を向上させるとともに網点の機械読取を可能としている。図11は、特開平11−268228号に開示される技術を用いて得られた印刷物ｐである。和文書体「壱」の画線の太さが徐々に太りながら、且つ、暗部領域においても文字を観察することができる。このように、特開平11−268228号に開示される技術によれば、顧客の受注に応じて、デザイナが、特別なシステムを用いることなく、一般的に用いられるパーソナルコンピュータと画像処理ソフトウェアを用いて自由に網点を設計することが可能になるとともに、特開平11−268228号に開示される技術を用いて所定の入力画像を画像処理して得られた網点は、複写機等で複製することが困難であり、且つ、機械読取することができるので偽造防止用印刷物の連続階調画像を表現する際に有効に機能する。
【００５９】
しかし、この手法は、１種類のハーフトーン領域を用いて１つの連続階調画像を表現しようとするものであり、連続階調画像を表現するための網点を印刷する際に、網点を印刷するためのハーフトーン領域として互いに重なることのない２種類のハーフトーン領域を隙間なく設け、前記２種類のハーフトーン領域の双方の種類のハーフトーン領域に網点を印刷することで所定の領域に１つの連続階調画像又は２つの連続階調画像を印刷することはできなかった。ここで、１つのハーフトーン領域に対して複数の網点を割り当てた場合、網点径そのものが大きくなり、線数（画像密度）を上げることが難しくなる。図12の印刷物ｐ′では、和文書体「印刷局」の画線の太さが徐々に太りながら階調を表現している。また、図13の印刷物ｐ″では、和文書体「コピー禁止」の画線の太さが徐々に太りながら階調を表現しているが、図12と図13に示すいずれの場合も網点径そのものが大きくなり、線数（画像密度）を上げることが難しくなる。また、１種類のハーフトーン領域を用いて２つの連続階調画像を印刷する際に、機能性インキを使用して２つの連続階調画像を潜像化しようとすると、それぞれの連続階調画像を構成する網点同士が融合して副次的なパターンが形成されてしまい、潜像効果を阻害する雑音的効果が生じてしまう。例えば、１種類のハーフトーン領域を用いて、円形ドットの網点により２つの連続階調画像である図14（ａ）及び図14（ｂ）を印刷して両者を合成した連続階調画像である図14（ｃ）と前記図14（ｃ）の階調を反転した画像図14（ｄ）を所定の領域に印刷すると図14（ｅ）が得られるが、図14（ｅ）では網点同士が融合して副次的なパターンが形成されており潜像効果が著しく阻害されていることがわかる。
【００６０】
そこで、本発明では、例えば、図１に示したいずれかの画像を画像処理して得られた網点を印刷する際に、網点を印刷するためのハーフトーン領域としてｍ×ｍピクセル（ｍ≧２、ｍは整数。）のハーフトーン領域とｎ×ｎピクセル（１≦ｎ＜ｍ、ｎは整数。）のハーフトーン領域の２種類のハーフトーン領域を設け、前記２種類のハーフトーン領域を互いに重なることなく配置するとともに、互いに独立した領域にある４つの前記ｍ×ｍピクセルのハーフトーン領域が１つの前記ｎ×ｎピクセルのハーフトーン領域の周囲を隙間なく囲繞し、互いに独立した領域にある４つの前記ｎ×ｎピクセルのハーフトーン領域が１つの前記ｍ×ｍピクセルのハーフトーン領域の外周に沿って等間隔に配置されるように前記２種類のハーフトーン領域を構成した上で、前記２種類のハーフトーン領域の双方の種類のハーフトーン領域を用いて１つの連続階調画像を表現するための網点を印刷して所定の領域に１つの連続階調画像を印刷するか、又は、前記２種類のハーフトーン領域のそれぞれの種類のハーフトーン領域をそれぞれに対応する１つの連続階調画像に割り当てて、それぞれの種類のハーフトーン領域ごとに対応する連続階調画像を表現するための網点を印刷して所定の領域に２つの連続階調画像を印刷する構成とした。この時、例えば、図１に示したいずれかの画像を特開平11−268228号に開示される技術を用いて画像処理した網点は複写機等で複製することが困難であるので、印刷物の偽造防止を図ることが可能になるとともに、図１に示したいずれかの画像を特開平11−268228号に開示される技術を用いて画像処理した網点を機械読取すれば印刷物の真偽判別が可能になる。
【００６１】
また、本発明では、前記２種類のハーフトーン領域から構成された所定の領域において、前記２種類のハーフトーン領域の双方の種類のハーフトーン領域を用いて１つの連続階調画像を表現するための網点を印刷する際に、通常光のもとで肉眼により等色に見えるが互いに異なる光学的特性を持った２種類のインキのいずれか一方のインキを用いて前記１つの連続階調画像を表現するための網点を印刷し、前記２種類のインキの他方のインキを用いて前記１つの連続階調画像を表現するための網点を除く領域を印刷すれば、前記所定の領域に前記１つの連続階調画像を潜像として付与できるとともに、前記所定の領域を網点同士の融合による副次的なパターンを形成することなく通常光のもとで肉眼により等色となるようにベタ印刷することができる。
【００６２】
更に、本発明では、前記２種類のハーフトーン領域から構成された所定の領域において、前記２種類のハーフトーン領域のそれぞれの種類のハーフトーン領域ごとに１つの連続階調画像を表現するための網点を印刷することで、前記所定の領域に２つの連続階調画像を印刷する際に、通常光のもとで肉眼により等色に見えるが互いに異なる光学的特性を持った２種類のインキのいずれか一方のインキを用いて前記２つの連続階調画像のいずれか一方の連続階調画像を表現するための網点を印刷し、前記２種類のインキの他方のインキを用いて前記２つの連続階調画像の他方の連続階調画像を表現するための網点を印刷し、前記２種類のインキのいずれのインキとも光学的特性が異なるが通常光のもとで肉眼により前記２種類のインキと等色に見えるインキを用いて前記２つの連続階調画像を表現するための網点を除く領域を印刷すれば、前記所定の領域に前記２つの連続階調画像を潜像として付与できるとともに、前記所定の領域を網点同士の融合による副次的なパターンを形成することなく通常光のもとで肉眼により等色となるようにベタ印刷することができる。この時、互いに独立した領域にある４つの前記ｍ×ｍピクセルのハーフトーン領域が１つの前記ｎ×ｎピクセルのハーフトーン領域の周囲を隙間なく囲繞するとともに、互いに独立した領域にある４つの前記ｎ×ｎピクセルのハーフトーン領域が１つの前記ｍ×ｍピクセルのハーフトーン領域の外周に沿って等間隔に配置されるように前記２種類のハーフトーン領域を構成しているので、前記所定の領域に前記２つの連続階調画像を互いに重なり合うことなく同等に配置して印刷することができる。
【００６３】
本発明に係る網点印刷物の印刷方法、すなわち、網点を印刷するためのハーフトーン領域として互いに重なることのない２種類のハーフトーン領域を隙間なく設けた上で、前記２種類のハーフトーン領域の双方の種類のハーフトーン領域を用いて１つの連続階調画像を表現するための網点を印刷して所定の領域に１つの連続階調画像を印刷する網点印刷物の印刷方法を図15の符合に対応させて説明すると、（１）２種類のハーフトーン領域において第１スレッショルドデータ作成部を設け、（２）２種類のハーフトーン領域において第１スレッショルドデータより画素密度の小さい第２スレッショルドデータ作成部を設け、（３）１つの連続階調画像に対応させて得られた画像データを出力装置又はソフトウェア RIPが解読可能なポストスクリプト網点発生法のHalftoneType16に準じたコマンドに変換するコマンド変換部を設け、（４）１つの連続階調画像に対応させて得られた網点データを保存する部を設け、（５）網点発生装置又はソフトウェア RIPに命令を与えるラスター処理部を設け、（６）TIFFの白黒２値のハーフトーン画像が生成される。
【００６４】
更に、本発明に係る網点印刷物の印刷方法、すなわち、網点を印刷するためのハーフトーン領域として互いに重なることのない２種類のハーフトーン領域を隙間なく設けた上で、前記２種類のハーフトーン領域のそれぞれの種類のハーフトーン領域をそれぞれに対応する１つの連続階調画像に割り当てて、それぞれの種類のハーフトーン領域ごとに対応する連続階調画像を表現するための網点を印刷して所定の領域に２つの連続階調画像を印刷する網点印刷物の印刷方法を図16の符合に対応させて説明すると、（１）２種類のハーフトーン領域において円形ドットで構成される第１スレッショルドデータ作成部を設け、（２）２種類のハーフトーン領域において第１スレッショルドデータより画素密度の小さい円形ドットで構成される第２スレッショルドデータ作成部を設け、（３）円形ドットを配置することで第１スレッショルドデータ作成部で得られた画像データと画素密度の小さい円形ドットを配置することで第２スレッショルドデータ作成部で得られた画像データのそれぞれの画像データをポストスクリプト網点発生法のHalftoneType16に準じたコマンドに変換するコマンド変換部を設け、（４）第１スレッショルドデータ作成部と第２スレッショルドデータ作成部の双方に対応する網点データを保存する部を設け、（５）網点発生のための命令を与えるラスター処理部を設け、（６）TIFFの白黒２値のハーフトーン画像１が生成される。次に、（１′）２種類のハーフトーン領域において白黒を反転した反転円形ドットで構成される第１スレッショルドデータ作成部を設け、（２′）２種類のハーフトーン領域において第１スレッショルドデータより画素密度の小さい円形ドットで構成される第２スレッショルドデータ作成部を設け、（３′）反転円形ドットを配置することで第１スレッショルドデータ作成部で得られた画像データと円形ドットを配置することで第２スレッショルドデータ作成部で得られた画像データのそれぞれの画像データをポストスクリプト網点発生法のHalftoneType16に準じたコマンドに変換するコマンド変換部を設け、（４′）第１スレッショルドデータ作成部と第２スレッショルドデータ作成部の双方に対応する網点データを保存する部を設け、（５′）網点発生装置に命令を与えるラスター処理部を設け、（６′）TIFFの白黒２値のハーフトーン画像２が生成される。そして、（７）生成されたTIFF白黒２値のハーフトーン画像１及び２の画像演算処理部を設け、（８）ｍ×ｍピクセルが黒く塗りつぶされたマスク１の生成部を設け、（９）マスク１の反転部を設け、（10）ｎ×ｎピクセルが黒く塗りつぶさされたマスク２の生成部を設ける。こうして得られたマスク１、マスク２によってハーフトーン領域をｍ×ｍピクセルのハーフトーン領域とｎ×ｎピクセルのハーフトーン領域に分割し、それぞれの種類のハーフトーン領域ごとに１つの連続階調画像を割り当てることができる。
【００６５】
ここで、２種類のハーフトーン領域のそれぞれの種類のハーフトーン領域に１つの連続階調画像を割り当てるために必要とされるマスクの生成法について、図16の符合に対応させながら具体的に説明する。以下では、図17（ａ′）に58パーセントのグレーレベルを、図17（ｂ′）に50パーセントのグレーレベルを割り当てた場合のマスク生成法について説明する。図17(ｂ″)におけるｍ×ｍピクセルのハーフトーン領域では、図17（ａ″）におけるｍ×ｍピクセルのハーフトーン領域での円形ドットの白黒を反転した反転円形ドットを用いている。図17（ａ）は、図16（１）に示すｍ×ｍピクセルのハーフトーン領域での円形ドットを示しており、そのビットマップデータが第１スレッショルドデータとなる。一方、図17（ｂ）は、図17（ａ）より縦横ピクセル数の少ないｎ×ｎピクセルのハーフトーン領域での円形ドットを示しており、そのビットマップデータが第２スレッショルドデータとなる。前記第１スレッショルドデータと前記第２スレッショルドデータは、図16（３）でポストスクリプト網点発生法のHalftoneType16に準じたコマンドに変換されて図16（４）で網点データとして保存される。前記網点データに対して、ポストスクリプト網点発生法のHalftoneType16を付与した命令を網点発生装置又はソフトウェア RIPに与えてラスター処理し、図17（ａ″）に示すTIFFの白黒２値のハーフトーン画像１を得る。同様の処理を図16の（１′）から（６′）まで行ない、図17（ｂ″）に示すTIFFの白黒２値のハーフトーン画像２を得る。
【００６６】
次に、図16（７）でTIFFの白黒２値のハーフトーン画像１（図17（ａ″））及びTIFFの白黒２値のハーフトーン画像２（図17（ｂ″））の画像演算処理を行なうことにより、図17（ｃ）が生成される。この時、全体が黒く塗りつぶされたｍ×ｍピクセルのハーフトーン領域と白地に円形ドットが黒く塗りつぶされたｎ×ｎピクセルのハーフトーン領域については必ずｍ＞ｎの関係が成立するので、全体が黒く塗りつぶされたｍ×ｍピクセルのハーフトーン領域の四隅は僅かながらビットのずれを生じて連続している。市販の画像処理ソフトは、隣接するピクセルの近似色を利用して画像の一部を選択できる機能を有しているので、黒く塗りつぶされた互いに連続する全てのｍ×ｍピクセルのハーフトーン領域を一括して選択すれば図17（ｄ）に示すマスク１を生成することができる。また、図17（ｄ）に示すマスク１の白黒を反転すれば、全てのｎ×ｎピクセルのハーフトーン領域が黒く塗りつぶされたマスク２を生成することができる。
【００６７】
以下、本発明の実施例を図面を参照しながら説明するが、本発明の実施の態様は下記の実施例に限定されるものではなく、特許請求の範囲に記載された技術事項の範囲内であれば発明の実施の形態に適宜、変更を加えることができる。
【００６８】
（実施例１）
実施例１として、図18では、２種類のハーフトーン領域のそれぞれの種類のハーフトーン領域に網点を印刷するにあたって、図18（ｄ）に示すように、ｍ×ｍピクセルのハーフトーン領域では、和文書体「五万」における「五」を入力画像として特開平11−268228号に開示される技術により網点（図18（ａ））を形成し、且つ、ｎ×ｎピクセルのハーフトーン領域では、同「五万」における「万」を入力画像として特開平11−268228号に開示される技術により網点（図18（ｂ））を形成した上で、それぞれの種類のハーフトーン領域ごとに画線太さを変調することによって連続階調（図18（ｃ））を表現した。この印刷物の品質は、一般の印刷物と同等レベルの 80〜175線／インチの解像度を持ち、狭小領域でも連続階調を表現することができた。また、これらの網点（図18（ａ）、図18（ｂ））は、連続階調の明部から暗部にかけての全領域で可読性に優れており、網点を機械読取することが可能であった。更に、これらの網点（図18（ａ）、図18（ｂ））を複写機で複製すると、網点の可読性が著しく損なわれてしまう結果となり、印刷物に偽造防止機能を付与することができた。この時、特開平11−268228号には、所定の入力画像を画像処理して連続階調を表現するための網点を生成する技術がいくつか開示されているが、ｍ×ｍピクセルのハーフトーン領域で入力画像である「五」を特開平11−268228号に開示される技術のいずれかの技術を用いて画像処理して得られた網点とｎ×ｎピクセルのハーフトーン領域で入力画像である「万」を特開平11−268228号に開示される技術のいずれかの技術を用いて画像処理して得られた網点は、それぞれ連続階調の明部から暗部にかけての領域で機械読取が可能な網点であるとともに、写真製版装置によって複製できない網点であるので、ｍ×ｍピクセルのハーフトーン領域で「五」の入力画像を画像処理して網点を生成する方法とｎ×ｎピクセルのハーフトーン領域で「万」の入力画像を画像処理して網点を生成する方法は、それぞれ特開平11−268228号に開示される網点の生成方法のいずれかの方法であれば、互いに同じ方法であっても異なる方法であっても、連続階調を表現した上で網点の機械読取を可能とするとともに、印刷物の偽造防止を図ることができた。また、実施例１ではｍ×ｍピクセルのハーフトーン領域で「五」を入力画像として網点を形成し、且つ、ｎ×ｎピクセルのハーフトーン領域で「万」を入力画像として網点を形成したが、それぞれの種類のハーフトーン領域への入力画像はそれぞれ「五」と「万」に限定されるものではなく、それぞれの種類のハーフトーン領域ごとに、それぞれの種類のハーフトーン領域への入力画像を商標、家紋、ロゴマーク、文字のいずれかを含む有意味な画像及び円、楕円、多角形のいずれかを含む画像の少なくともいずれかの画像によって構成される所定の入力画像としても、連続階調を表現した上で網点の機械読取を可能とするとともに、印刷物の偽造防止を図ることができた。
【００６９】
（実施例２）
実施例２として、図19では、ｍ×ｍピクセルのハーフトーン領域とｎ×ｎピクセルのハーフトーン領域の２種類のハーフトーン領域に対して一般的な円形ドットを採用し、図19（ａ）及び図19（ｂ）に示した２つの連続階調画像を網点同士の融合による副次的なパターンを生じることなく潜像化させる例を説明する。
【００７０】
図19（ａ′）は、ポストスクリプト網点発生法のHalftoneType16に準じた方法により、図19（ａ）に示す連続階調画像をハーフトーン処理したものであり、図19（ｂ′）は、ポストスクリプト網点発生法のHalftoneType16に準じた方法により、図19（ｂ）に示す連続階調画像をハーフトーン処理したものである。図19（ａ′）と同等の画素密度のマスクを図16に準じた方法で作成するとともに、図19（ｂ′）と同等の画素密度のマスクを図16に準じた方法で作成する。図19（ａ′）と同等の画素密度のマスクの部分拡大図を図19（ｍ１）に示し、図19（ｂ′）と同等の画素密度のマスクの部分拡大図を図19（ｍ２）に示す。図20では、ポストスクリプト網点発生法のHalftoneType16に準じた方法によりハーフトーン化された網点画像を示す図20（ａ″）とマスクを示す図20（ｍ１）の画像演算処理を施すと網点画像である図20（ｄ）が生成され、ポストスクリプト網点発生法のHalftoneType16に準じた方法によりハーフトーン化された網点画像を示す図20（ｂ″）とマスクを示す図20（ｍ２）の画像演算処理を施すと網点画像である図20（ｄ′）が生成される。網点画像である図20（ｄ）と網点画像である図20（ｄ′）は、所定の領域に互いに重なり合うことがなく同等に配置された上で、網点同士の融合を生じることなく印刷されている。この時、図20（ａ′）の網点画像は図19（ａ′）の網点画像と同じ網点画像を示しており、図20（ｂ′）の網点画像は図19（ｂ′）の網点画像と同じ網点画像を示している。
【００７１】
こうして、互いに重なり合わない網点画像である図20（ｄ）と図20（ｄ′）の２種類の網点画像の印刷が可能となるが、図20（ｄ）と図20（ｄ′）の２種類の網点画像を除く領域を通常光のもとで肉眼により図20（ｄ）と図20（ｄ′）の２種類の網点画像と等色に見えるインキで埋める必要がある。図21に示すように、網点画像である図21（ｄ）及び図21（ｄ′）の画像演算処理を施すことで図21（ｅ）を生成し、図21（ｅ）の階調を反転させることにより図21（ｇ）を生成する。この時、図21（ｄ）の網点画像は図20（ｄ）の網点画像と同じ網点画像を示しており、図21（ｄ′）の網点画像は図20（ｄ′）の網点画像と同じ網点画像を示している。図22（ａ）、（ｂ）及び（ｃ）は、以上の方法によって作成された印刷用の刷版を示す。ここで、図22（ａ）の刷版は図20（ｄ）の網点画像を印刷するための刷版であり、図22（ｂ）の刷版は図20（ｄ′）の網点画像を印刷するための刷版であり、図22（ｃ）の刷版は図20（ｄ）の網点画像と図20（ｄ′）の網点画像を除く領域を印刷するための刷版である。これらの３つの印刷用の刷版をそれぞれ用いて通常光のもとで肉眼により互いに等色に見えるようにオフセット印刷した場合、図22（ｄ）に示すように、網点同士の融合による副次的なパターンを生じていない全体として等色なベタ刷り印刷が得られた。この時、互いに独立した領域にある４つの前記ｍ×ｍピクセルのハーフトーン領域が１つの前記ｎ×ｎピクセルのハーフトーン領域の周囲を隙間なく囲繞するとともに、互いに独立した領域にある４つの前記ｎ×ｎピクセルのハーフトーン領域が１つの前記ｍ×ｍピクセルのハーフトーン領域の外周に沿って等間隔に配置されるように前記２種類のハーフトーン領域を構成しているので、互いに重なり合わない網点画像である図20（ｄ）と図20（ｄ′）の２種類の網点画像を所定の領域に同等に配置して印刷することができた。
【００７２】
（実施例３）
実施例３として、ｍ×ｍピクセルのハーフトーン領域とｎ×ｎピクセルのハーフトーン領域の２種類のハーフトーン領域から構成された所定の領域において、通常光のもとで肉眼により等色に見えるが互いに異なる光学的特性を持った２種類のインキのいずれか一方のインキを用いて２つの連続階調画像のいずれか一方の連続階調画像を表現するための網点を印刷し、前記２種類のインキの他方のインキを用いて前記２つの連続階調画像の他方の連続階調画像を表現するための網点を印刷し、前記２種類のインキのいずれのインキとも光学的特性が異なるが通常光のもとで肉眼により前記２種類のインキと等色に見えるインキを用いて前記２つの連続階調画像を表現するための網点を除く領域を印刷し、所定の視認条件のもとで前記２つの連続階調画像のいずれか一方の連続階調画像を視認可能とし、前記所定の視認条件と異なる所定の視認条件のもとで前記２つの連続階調画像の他方の連続階調画像を視認可能とするとともに、通常光のもとで肉眼により前記所定の領域を全体として等色に見えるように印刷する例を説明する。図23では、ｍ×ｍピクセルのハーフトーン領域とｎ×ｎピクセルのハーフトーン領域の２種類のハーフトーン領域に対して一般的な円形ドットを採用し、図19（ａ）及び図19（ｂ）に示した２つの連続階調画像を網点同士の融合による副次的なパターンを生じることなく機能性インキ等を用いて潜像化させた例である。以下に、実施例３で使用したインキの配合割合を示すが、本発明で使用することができるインキは下記の配合割合を持ったインキに限定されるものではない。
【００７３】
まず、546 nmで励起し、620 nmで発光する可視励起可視発光体インキとして、橙色顔料のスレンオレンジＧＲ約３％、黄色顔料のアゾイエローＦＧ約７％、オフセットワニス約90％を用いて作製した。図24は、可視励起可視発光体インキの蛍光分光スペクトルを示す図である。次に、360 nmで励起し、570 nmで発光する紫外線励起可視発光体インキとして、橙色顔料のピグメントオレンジ約２％、黄色顔料ピグメントイエローＧ約６％、紫外線励起オフセットインキ約15％、オフセットワニス約77％を用いて作製した。図25は、紫外線励起可視発光体インキの蛍光分光スペクトルを示す図である。更に、発光特性を有しない通常インキとして、橙色顔料ピグメントオレンジ約３％、黄色顔料のピグメントイエローＧ約７％、オフセットワニス約90％を用いて作製した。図26は、発光特性を有しない通常インキの蛍光分光スペクトルを示す図である。この３種類のインキは白色蛍光灯下で互いに等色の関係にあった。ここで、図22（ｂ）の刷版を用いて可視励起可視発光体インキを印刷し、図22（ａ）の刷版を用いて紫外線励起可視発光体インキを印刷し、図22（ｃ）の刷版を用いて発光特性を有しない通常インキを印刷し、３種類のインキを互いに重なり合うことのないようにすき入れが施された用紙上にオフセット印刷した。３種類のインキで印刷した図柄を図23（ａ）の中央部（楕円部分）に示した。図23（ａ）の中央部において、可視光領域の反射光状態では何ら画像を認識できないが、可視光領域の透過光状態では透かし画像（図23（ｂ））、紫外線下では紫外線励起可視発光体インキにより図23（ｃ）の反射光画像、620 nmの可視光下では可視励起可視発光体インキにより図23（ｄ）の反射光画像を認識することができた。この時、可視励起可視発光体インキを赤外線励起可視発光体インキとすれば、図23（ａ）の中央部において、可視光領域の反射光状態では何ら画像を認識できないが、可視光領域の透過光状態では透かし画像である図23（ｂ）、紫外線下では図23（ｃ）の反射光画像、赤外線下では図23（ｄ）の反射光画像を認識することができた。この手法を印刷物の表裏に用いれば合計５種類の連続階調画像を潜像として印刷することが可能となった。
【００７４】
なお、機能性インキとしては、可視領域、紫外領域及び赤外領域のいずれかの領域の波長の光を発光する特性を有する蛍光発光材料を用いることができるが、可視領域の波長の光を発光する蛍光発光材料には、硫化亜鉛系化合物、酸化亜鉛系化合物、ケイ酸亜鉛系化合物、イットリウム系化合物等があり、紫外領域の波長の光を発光する蛍光発光材料には、例えば、BaSi2O5:Pb、SrB4O7F:Eu、Ca3(PO4):Ti等があり、赤外領域の波長の光を発光する蛍光発光材料には、例えば、LiAlO2:Fe、(Zn・Cd)S:Cu、YVO4:Nd 等がある。更に、機能性インキとしては、紫外線吸収材料である、例えば、二酸化チタン、硫化亜鉛、ケイ酸亜鉛等の無機物質、オキサジンチアゾール、ジアミノジフェニール系等の有機物質、赤外線吸収材料であるインジウム系化合物、アントラキノン系化合物等を使用してもよいし、蓄光系材料やサーモクロミック系材料を使用してもよい。本発明では、いずれの種類の機能性インキを用いるにしても、潜像を印刷するために使用した機能性インキの光学的特性に応じた所定の視認条件のもとで潜像を視認することができた。また、所定の領域に２つの潜像を印刷する際には、通常光のもとで肉眼により等色に見えるが互いに異なる光学的特性を持った２種類の機能性インキのいずれか一方の種類の機能性インキを用いて２つの潜像のいずれか一方の潜像を印刷し、２種類の機能性インキの他方の種類の機能性インキを用いて２つの潜像の他方の潜像を印刷すれば、２種類の機能性インキのいずれか一方の種類の機能性インキに対応する所定の視認条件のもとで２つの潜像のいずれか一方の潜像を視認できるとともに、２種類の機能性インキの他方の種類の機能性インキに対応する所定の視認条件のもとで２つの潜像の他方の潜像を視認することができた。
【００７５】
（実施例４）
実施例４として、図27（ａ）では、ｍ×ｍピクセルのハーフトーン領域とｎ×ｎピクセルのハーフトーン領域の２種類のハーフトーン領域に対して一般的な円形ドットを採用した上で、身分証明書の顔写真右部に機能性インキを用いて２つの顔画像を網点同士が融合することのないように潜像として付与した例を説明する。図27（ａ）の身分証明書の顔写真右部において、可視光領域の反射光状態では何ら画像を認識できないが、紫外線下では図27（ｂ）に示すように顔写真が上下反転した反射光画像、赤外線下では図27（ｃ）に示すように顔写真と同等の反射光画像を認識することができた。
【図面の簡単な説明】
【００７６】
【図１】本発明で使用する網点の形状として、商標、家紋、ロゴマーク、文字等、それ自身が意味をもつものを自由に採用できることを説明するための図。
【図２】一般商業印刷物の網点発生パターンの一例を説明するための図。
【図３】ポストスクリプト言語のハーフトーンスクリーンにおいて、数学的関数によって管理されるグリッドの縦横アドレス値を説明するための図。
【図４】数学的関数の一例を示し、塗りつぶす優先順位が、割り当てられた様子を説明するための図。
【図５】本発明の網点印刷物及びその印刷方法を説明するために用いた連続階調画像。
【図６】ポストスクリプト言語のハーフトーン作成法の中で数学的関数を用いない手法を示し、塗りつぶす優先順位が、階調数で割り当てられている様子を説明するための図。
【図７】ポストスクリプト言語のハーフトーン作成法の中で数学的関数を用いない手法を応用し、発生パターンに意匠性を付与することを説明するための図。
【図８】本発明のハーフトーン作成法の中で、ぼかし処理を説明するための図。
【図９】画線どうしが交点を形成した箇所の先鋭状のぼかし処理の状態を説明した図。
【図１０】和文書体「壱」を例に、画線どうしが交点を形成する領域に対して先鋭状のぼかし処理状態を説明した図 （Ｚ１）、及び文字領域以外の階調表現として、濃度を分散させることを説明した図 （Ｚ２）、及び文字輪郭部分に対して、数ピクセルの濃度のない領域を割り当て、暗部の階調領域においても、文字認識を可能とさせる手法を説明した図 （Ｚ３）。
【図１１】特開平11−268228号に開示される技術を用いて階調を表現した印刷物。
【図１２】和文書体「印刷局」を網点化した印刷物であり、網点径がそのものが大きくなり、線数（画像密度）を上げることが難しくなる様子を説明した図。
【図１３】和文書体「コピー禁止」を網点化した印刷物であり、網点径がそのものが大きくなり、線数（画像密度）を上げることが難しくなる様子を説明した図。
【図１４】複数の連続階調画像を機能性インキ等を用いて潜像化した場合、網点同士が融合して副次的なパターンを形成し、潜像効果を阻害し雑音的効果を及ぼす様子を説明した図。
【図１５】２種類のハーフトーン領域の双方の種類のハーフトーン領域を用いて１つの連続階調画像を表現する場合の本発明の網点生成法を説明した図。
【図１６】２種類のハーフトーン領域のそれぞれの種類のハーフトーン領域ごとに１つの連続階調画像を割り当てて２つの連続階調画像を表現する場合の本発明の網点生成法とマスク生成法を説明した図。
【図１７】２種類のハーフトーン領域を割り当てるために必要なマスクの作成方法を説明した図。
【図１８】実施例１において、ｍ×ｍピクセルのハーフトーン領域で和文書体「五万」の「五」を網点化するとともに、ｎ×ｎピクセルのハーフトーン領域で和文書体「五万」の「万」を網点化して連続階調を表現することを説明した図。
【図１９】実施例２において、ポストスクリプト網点発生法のHalftoneType16に準じた方法により形成した２種類の網点画像とマスクの対応を説明した図。
【図２０】実施例２において、ポストスクリプト網点発生法のHalftoneType16に準じた方法により形成した２種類の網点画像とマスクに対して画像処理を施すと、２種類の網点画像が互いに重なり合うことなく生成されることを説明した図。
【図２１】実施例２において、互いに重なり合うことのない２種類の網点画像を除く領域を作成する方法を説明した図。
【図２２】実施例２において、３種類の等色インキのそれぞれの種類のインキをそれぞれに対応する本発明によって得られた刷版を用いてオフセット印刷した場合、互いに重なり合わないベタ刷り印刷が可能であることを説明した図。
【図２３】実施例３において、２種類のハーフトーン領域に対して一般的な円形ドットを採用した上で、網点同士を融合させることなく２つの連続階調画像を機能性インキを用いて潜像化させた例を説明した図。
【図２４】実施例３で用いた可視励起可視発光体インキの蛍光分光スペクトルを説明した図。
【図２５】実施例３で用いた紫外線励起可視発光体インキの蛍光分光スペクトルを説明した図。
【図２６】実施例３で用いた発光特性を有しない通常インキの蛍光分光スペクトルを説明した図。
【図２７】実施例４において、本発明を身分証明書に適用した例を説明した図。
【符号の説明】
【００７７】
Ｚ１  鋭角状にぼかし処理することによって、不均一な濃度分布（画線のつぶれ）を防いだ文字部分の交点領域
Ｚ２  文字領域外部の濃度を分散させることによって、中間から明部の階調を滑らかに再現した領域
Ｚ３  数ピクセルの濃度零（FF）領域を割り当てた文字の輪郭部分
ｐ  所定の入力画像の輪郭を抽出し、輪郭内部をぼかし処理し、画線の交点領域に内部先鋭ぼかし処理し、輪郭外部を外部濃度分散処理し、輪郭領域に数ピクセルの濃度零（FF）領域を割り当てて出力した構成要素（網点）からなる印刷物
ｐ′所定の入力画像の内部を内部ぼかし処理し、画線の交点領域に内部先鋭ぼかし処理し、前記入力画像の外部を外部濃度分散処理して出力した構成要素（網点）からなる印刷物
ｐ″所定の入力画像の内部を内部ぼかし処理し、画線の交点領域に内部先鋭ぼかし処理し、前記入力画像の外部を外部濃度分散処理して出力した構成要素（網点）からなる印刷物
１  ２種類のハーフトーン領域の第１スレッショルドデータ作成部
２  第１スレッショルドデータより画素密度の小さい第２スレッショルドデータ作成部
３  得られた画像データを出力装置やソフトウェア RIPが解読可能なポストスクリプト網点発生法のHalftoneType16に準じたコマンドに変換する部
４  得られた網点データを保存する部
５  網点発生装置やソフトウェア RIPに命令を与えるラスター処理部
６  TIFFの白黒２値の網点画像を生成する部
１′２種類のハーフトーン領域において反転円形ドットで構成される第１スレッショルドデータ作成部
２′第１スレッショルドデータより画素密度の小さい円形ドットで構成される第２スレッショルドデータ作成部３′得られた画像データを出力装置やソフトウェア RIPが解読可能なポストスクリプト網点発生法のHalftoneType16に準じたコマンドに変換する部
４′得られた網点データを保存する部
５′網点発生装置やソフトウェア RIPに命令を与えるラスター処理部
６′TIFFの白黒２値の網点画像を生成する部
７  生成されたTIFFの白黒２値の網点画像の画像演算処理部
８  ｍ×ｍピクセルのハーフトーン領域を黒く塗りつぶしたマスクの生成部
９  マスクの反転部
10  ｎ×ｎピクセルのハーフトーン領域を黒く塗りつぶしたマスクの生成部
【図１】
2007001312.tif 000003
【図２】
2007001312.tif 000004
【図３】
2007001312.tif 000005
【図４】
2007001312.tif 000006
【図５】
2007001312.tif 000007
【図６】
2007001312.tif 000008
【図７】
2007001312.tif 000009
【図８】
2007001312.tif 000010
【図９】
2007001312.tif 000011
【図１０】
2007001312.tif 000012
【図１１】
2007001312.tif 000013
【図１２】
2007001312.tif 000014
【図１３】
2007001312.tif 000015
【図１４】
2007001312.tif 000016
【図１５】
2007001312.tif 000017
【図１６】
2007001312.tif 000018
【図１７】
2007001312.tif 000019
【図１８】
2007001312.tif 000020
【図１９】
2007001312.tif 000021
【図２０】
2007001312.tif 000022
【図２１】
2007001312.tif 000023
【図２２】
2007001312.tif 000024
【図２３】
2007001312.tif 000025
【図２４】
2007001312.tif 000026
【図２５】
2007001312.tif 000027
【図２６】
2007001312.tif 000028
【図２７】
2007001312.tif 000029